(57)【特許請求の範囲】
【請求項１】
天板部(2)を有する上台(3)と下台(4)の相互に、該上台(3)を鉛直方向の軸線の廻りに回動自在かつ軸線に沿って昇降自在とする連結手段(5)を介装し、前記下台(4)に対して上台(3)を移動させることにより天板部(2)を異なる高さＨ１及び高さＨ２（ただしＨ１＜Ｈ２）に保持する踏み台であり、
前記軸線の周囲に位置して、前記上台(3)に間隔をあけて複数の上脚部(16)を設けると共に、前記下台(4)に間隔をあけて複数の下脚部(31)を設け、
前記上脚部(16)を隣り合う下脚部(31)(31)の間に格納し、前記下脚部(31)を隣り合う上脚部(16)(16)の間に格納することにより、踏み台の下端から天板部(2)の上面までの高さを前記高さＨ１とした第一高さの踏み台(1a)を構成し、
前記上脚部(16)を下脚部(31)の上に支持させることにより、踏み台の下端から天板部(2)の上面までの高さを前記高さＨ２とした第二高さの踏み台(1b)を構成することを特徴とする作業用踏み台。
【請求項２】
前記連結手段(5)は、相互に回動自在かつ摺動自在に嵌合された筒部(5b)(5c)を備え、一方の筒部(5b)の周方向に間隔をあけて上下方向に延びるスリット(5f)を形成すると共に、他方の筒部(5c)にリブ(5g)を設けており、
前記第一高さの踏み台(1a)及び第二高さの踏み台(1b)を構成するように両筒部(5b)(5c)を相互に回動したとき、前記リブ(5g)をスリット(5f)に嵌脱自在に嵌合することにより、両筒部(5b)(5c)の摺動を許すが、自由に回動しないように位置決め係止するように構成して成ることを特徴とする請求項１に記載の作業用踏み台。
【請求項３】
下台(4)に係止手段(39)を設け、第一高さの踏み台(1a)を構成したとき前記係止手段(39)に係脱自在に係止する第１被係止手段(10)を上台(3)に設け、第一高さの踏み台(1a)を構成した状態で上台(3)と下台(4)を相互に昇降不能かつ回動不能に係止するように構成して成ることを特徴とする請求項１又は２に記載の作業用踏み台。
【請求項４】
下台(4)に係止手段(39)を設け、第二高さの踏み台(1b)を構成したとき前記係止手段(39)に係脱自在に係止する第２被係止手段(27)を上台(3)に設け、第二高さの踏み台(1b)を構成した状態で上台(3)と下台(4)を相互に昇降不能かつ回動不能に係止するように構成して成ることを特徴とする請求項１、２又は３に記載の作業用踏み台。
【請求項５】
天板部(2)の側面に上下方向に貫通するアリ溝状の凹部(6)と該凹部に上下方向から嵌合自在な形状とされたアリ状の凸部(7)を１組として並設した天板連結手段(8)を設け、
該天板連結手段(8)を天板部(2)の側面のうち前記軸線を中心とする図形回転移動された複数個所であって隣り合う上脚部(16)(16)の間に対応する部位に設けており、
複数の踏み台(1)(1)を横方向に列設したとき、隣り合う踏み台の対向する天板連結手段(8)(8)の相互において一方の踏み台の凸部(7)を他方の踏み台の凹部(6)に嵌合するように構成したことを特徴とする請求項１、２、３又は４に記載の作業用踏み台。
【請求項６】
天板部(2)の下方に位置する上台(3)の側面に前記天板連結手段(8)と同じ形状の凹部(25)と凸部(26)を並設した上台連結手段(24)を設けており、
前記上台連結手段(24)は、上台(3)を上昇した第二高さの踏み台(1b)を構成したときに、上台(3)を下降した第一高さの踏み台(1a)における天板連結手段(8)と同じ高さ位置となるように構成され、
複数の第一高さの踏み台(1a)と第二高さの踏み台(1b)を横方向に列設したとき、第一高さの踏み台(1a)の天板連結手段(8)と第二高さの踏み台(1b)の上台連結手段(24)の相互において一方の踏み台の凸部(7,26)を他方の踏み台の凹部(6,25)に嵌合するように構成したことを特徴とする請求項５に記載の作業用踏み台。
【請求項７】
天板部(2)の側面であって隣り合う上脚部(16)(16)の間に対応する部位に前記天板連結手段(8)を構成する１組の凸部(7)と凹部(6)を離間して配置し、該凸部(7)と凹部(6)の間に位置して、天板部(2)の側面に持ち手用凹部(9)を形成したことを特徴とする請求項５又は６に記載の作業用踏み台。
【請求項８】
複数の踏み台(1)(1)を上下に積層可能とするように構成され、上層の踏み台(1)の下脚部(31)の下面に弾性パッド(35a)を固着し、下層の踏み台(1)の天板部(2)に前記弾性パッドを受け入れる凹陥部(14)を形成しており、
それぞれ第一高さの踏み台(1a)とした複数の踏み台(1)(1)を積層した状態と、それぞれ第二高さの踏み台(1b)とした複数の踏み台(1)(1)を積層した状態と、第一高さの踏み台(1a)と第二高さの踏み台(1b)とした複数の踏み台(1)(1)を積層した状態の全ての状態においても、前記弾性パッド(35a)が凹陥部(14)に受け入れられるように構成して成ることを特徴とする請求項１〜７の何れかに記載の作業用踏み台。
【発明の詳細な説明】
【技術分野】
【０００１】
本発明は、作業者が天板部に搭乗することにより高所作業を行うための作業用踏み台に関する。
【背景技術】
【０００２】
従来、種々の作業用踏み台が提供されているが、天板部を比較的広い面積でフラットに形成すると共に、安定した設置状態を可能にするためには、全体として箱型に構成することが好ましい。また、高さの異なる高低位置での作業を可能にするためには、天板部を高い位置と低い位置の異なる高さに保持できるように構成することが好ましい。
【０００３】
この点に関して、全体を合成樹脂により箱型に形成した作業用踏み台が公知であり（特許文献１）、上下に配置されたそれぞれ矩形の天板と底板の間に側板を設け、相対向する一対の側板により内側に向けて上下二つ折り状となるように屈折自在な折畳み側板を構成し、別の相対向する一対の側板により剛体板であって前記箱型の内部空間に向けて回動自在な支持側板を構成している。この公知の作業用踏み台は、前記折畳み側板を伸長させ、天板と底板の間に支持側板を嵌入することにより、天板を高い位置に保持した高い踏み台が提供される。また、前記支持側板の嵌合を解除して天板と底板の間に収納し、折畳み側板を屈折させて天板と底板を合掌することにより、天板を低い位置に保持した低い踏み台が提供される。
【０００４】
しかしながら、前記公知の作業用踏み台は、低い踏み台を高い踏み台に変更するためには、折畳み側板の伸長を介して天板を引き上げた後、引き上げた天板と底板の間に支持側板を嵌入させなければならず、作業が煩雑であり労力を要する。しかも、支持側板の嵌入状態が完全でないと、作業者が天板に搭乗した状態で、支持側板が外れて天板が降下する危険がある。
【０００５】
また、高い踏み台から低い踏み台に変更するためには、支持側板を外した後、折畳み側板の屈折を介して天板と底板を合掌させなければならず、作業が煩雑であるばかりか、作業者の手指が屈折中の折畳み側板や、天板と底板の間に挟まれて負傷するおそれがある。
【先行技術文献】
【特許文献】
【０００６】
【特許文献１】特許第４４６９４８３号公報
【発明の概要】
【発明が解決しようとする課題】
【０００７】
本発明は、全体を概ね箱型に形成した作業用踏み台により低い踏み台と高い踏み台を選択的に形成することが可能であり、天板部の高さ位置を変更する際に、その変更作業をほぼワンタッチで行うことが可能であり、しかも、変更作業時に作業者の手指を負傷するおそれはなく、更に、作業者が天板部に搭乗した状態で不慮に天板部が降下する危険はなく、天板部を確実強固に支持する安全な作業用踏み台を提供するものである。
【課題を解決するための手段】
【０００８】
そこで、本発明が前記課題を解決するための手段として構成したところは、天板部を有する上台と下台の相互に、該上台を鉛直方向の軸線の廻りに回動自在かつ軸線に沿って昇降自在とする連結手段を介装し、前記下台に対して上台を移動させることにより天板部を異なる高さＨ１及び高さＨ２（ただしＨ１＜Ｈ２）に保持する踏み台であり、前記軸線の周囲に位置して、前記上台に間隔をあけて複数の上脚部を設けると共に、前記下台に間隔をあけて複数の下脚部を設け、前記上脚部を隣り合う下脚部の間に格納し、前記下脚部を隣り合う上脚部の間に格納することにより、踏み台の下端から天板部の上面までの高さを前記高さＨ１とした第一高さの踏み台(1a)を構成し、前記上脚部を下脚部の上に支持させることにより、踏み台の下端から天板部の上面までの高さを前記高さＨ２とした第二高さの踏み台を構成する点にある。
【０００９】
本発明の実施形態において、前記連結手段は、相互に回動自在かつ摺動自在に嵌合された筒部を備え、一方の筒部の周方向に間隔をあけて上下方向に延びるスリットを形成すると共に、他方の筒部にリブを設けており、前記第一高さの踏み台及び第二高さの踏み台を構成するように両筒部を相互に回動したとき、前記リブをスリットに嵌脱自在に嵌合することにより、両筒部の摺動を許すが、自由に回動しないように位置決め係止するように構成することが好ましい。
【００１０】
また、本発明の好ましい実施形態は、下台に係止手段を設け、第一高さの踏み台を構成したとき前記係止手段に係脱自在に係止する第１被係止手段を上台に設け、第一高さの踏み台を構成した状態で上台と下台を相互に昇降不能かつ回動不能に係止するように構成している。
【００１１】
この際、下台に係止手段を設け、第二高さの踏み台を構成したとき前記係止手段に係脱自在に係止する第２被係止手段を上台に設け、第二高さの踏み台を構成した状態で上台と下台を相互に昇降不能かつ回動不能に係止するように構成することが更に好ましい。
【００１２】
更に本発明の好ましい実施形態は、天板部の側面に上下方向に貫通するアリ溝状の凹部と該凹部に上下方向から嵌合自在な形状とされたアリ状の凸部を１組として並設した天板連結手段を設け、該天板連結手段を天板部の側面のうち前記軸線を中心とする図形回転移動された複数個所であって隣り合う上脚部の間に対応する部位に設けており、複数の踏み台を横方向に列設したとき、隣り合う踏み台の対向する天板連結手段の相互において一方の踏み台の凸部を他方の踏み台の凹部に嵌合するように構成している。
【００１３】
この際、天板部の下方に位置する上台の側面に前記天板連結手段と同じ形状の凹部と凸部を並設した上台連結手段を設けており、前記上台連結手段は、上台を上昇した第二高さの踏み台を構成したときに、上台を下降した第一高さの踏み台における天板連結手段と同じ高さ位置となるように構成され、複数の第一高さの踏み台と第二高さの踏み台を横方向に列設したとき、第一高さの踏み台の天板連結手段と第二高さの踏み台の上台連結手段の相互において一方の踏み台の凸部を他方の踏み台の凹部に嵌合するように構成することが更に好ましい。
【００１４】
また、天板部の側面であって隣り合う上脚部(の間に対応する部位に前記天板連結手段を構成する１組の凸部と凹部を離間して配置し、該凸部と凹部の間に位置して、天板部の側面に持ち手用凹部を形成することが好ましい。
【００１５】
本発明の好ましい実施形態は、複数の踏み台を上下に積層可能とするように構成され、上層の踏み台の下脚部の下面に弾性パッドを固着し、下層の踏み台の天板部に前記弾性パッドを受け入れる凹陥部を形成しており、それぞれ第一高さの踏み台とした複数の踏み台を積層した状態と、それぞれ第二高さの踏み台とした複数の踏み台を積層した状態と、第一高さの踏み台と第二高さの踏み台とした複数の踏み台を積層した状態の全ての状態においても、前記弾性パッドが凹陥部に受け入れられるように構成している。
【発明の効果】
【００１６】
請求項１に記載の本発明によれば、第一高さの踏み台１ａと第二高さの踏み台１ｂを選択的に形成することが可能であり、しかも、その作業を上台３の移動によるほぼワンタッチで行うことができるという効果がある。この際、上台３と下台４の相互に、該上台３を鉛直方向の軸線の廻りに回動自在かつ軸線に沿って昇降自在とする連結手段５を介装しているから、前記高さの選択作業が上台３の昇降と回動によるほぼワンタッチで行われ、しかも、連結手段５によりガイドされた昇降と回動が可能になるので、作業を容易とする。
【００１７】
この際、請求項２に記載の本発明によれば、相互に回動自在かつ摺動自在に嵌合された筒部５ｂ、５ｃにより連結手段５を構成すると共に、両筒部５ｂ、５ｃを回動したとき、相互に嵌脱自在に嵌合することにより、相互の摺動を許すが自由な回動を阻止するスリット５ｆとリブ５ｇを設けているので、前記上台３の昇降と回動によるワンタッチの作業を容易とする。
【００１８】
請求項３に記載の本発明によれば、第一高さの踏み台１ａを形成したとき、下台４の係止手段２９が天板部２の第１被係止手段１２に係止し、これにより、天板部２を備えた上台３と下台４を相互に昇降不能かつ回動不能に係止するので、天板部２の上で安全に作業を行うことが可能であり、しかも、下台４と上台３が相互に遊動不能に固定されているので、踏み台１ａの持ち運び等の取扱いを容易とする。
【００１９】
請求項４に記載の本発明によれば、第二高さの踏み台１ｂを形成したとき、下台４の係止手段２９が上台３の第２被係止部２７に係止し、これにより、天板部２を備えた上台３と下台４を相互に昇降不能かつ回動不能に係止するので、高位置の天板部２の上で安全に高所作業を行うことが可能となる。しかも、下台４に設けた係止手段３９を第１被係止手段１２と第２被係止手段２７に選択的に係止する手段として兼用する構成であるから、簡単な構造で所期目的を達成できる。
【００２０】
請求項５に記載の本発明によれば、複数の第一高さの踏み台１ａ、１ａ又は複数の第二高さの踏み台１ｂを相互に横方向に列設する際、隣り合う踏み台の対向する天板連結手段８、８の相互において、一方の踏み台の凸部７を他方の踏み台の凹部６に嵌合することにより、横方向に離間不能となるように連結することができるので、列設された複数の踏み台１、１の天板部２、２により広い作業空間を提供することができ、しかも、作業者の作業中に、列設された天板部２、２が相互に離間したり位置ずれしたりすることを確実に防止し、作業の安全に貢献する。
【００２１】
請求項６に記載の本発明によれば、第一高さの踏み台１ａと第二高さの踏み台１ｂを横方向に列設した階段状の組合せ形態として使用することが可能であり、この際、第一高さの踏み台１ａの天板連結手段８と第二高さの踏み台１ｂの上台連結手段２４の相互において、一方の踏み台の凸部７（２６）を他方の踏み台の凹部６（２５）に嵌合することにより、作業の安全に貢献することができる。
【００２２】
請求項７に記載の本発明によれば、３個以上の踏み台１を列設した状態で、中央に位置する踏み台１の持ち手用凹部９を隣接する踏み台１に臨ませるように配置することにより、列設を解除する際、持ち手用凹部９を介して、手指で天板部２の側縁を把持することにより、中央に位置する踏み台１を持ち上げることができるので、天板連結手段８の連結解除が容易となる。
【００２３】
請求項８に記載の本発明によれば、複数の踏み台１を上下に積層した状態で使用することが可能であり、その際、上層の踏み台１の下脚部３１に固着した弾性パッド３５ａを下層の踏み台１の天板部２に形成された凹陥部１４に受け入れさせた状態で載置できるので、横滑りを防止し、上層の踏み台１の脱落を防止することができる。
【図面の簡単な説明】
【００２４】
【図１】本発明に係る作業用踏み台の１実施形態に関して、各部材を分解した状態を示す斜視図である。
【図２】本発明に係る作業用踏み台の１実施形態に関して、（Ａ）は天板部の平面図、（Ｂ）は上台の横断面図、（Ｃ）は下台の平面図である。
【図３】係止手段と被係止手段を示しており、（Ａ）は天板部に設けた第１被係止手段を示す斜視図、（Ｂ）は上台に設けた第２係止手段を示す斜視図、（Ｃ）は下台に設けた係止手段を示す斜視図である。
【図４】（Ａ）は天板部と上台の分解状態を示す斜視図、（Ｂ）は差込み片の拡大図である。
【図５】上台と下台を分解した状態を示す斜視図である。
【図６】上下台を連結する連結手段を示しており、（Ａ）は分解状態における連結手段の一部を破断することにより断面を示す斜視図、（Ｂ）は連結状態における連結手段の横断面図である。
【図７】本発明に係る作業用踏み台により第一高さの踏み台を形成した状態を示しており、（Ａ）は全体を示す斜視図、（Ｂ）は下台の係止手段と天板部の第１被係止手段の係止状態を示す拡大斜視図である。
【図８】第一高さの踏み台を第二高さの踏み台に変更する作業を説明しており、（Ａ）は上台を下台から上昇させた状態を示す斜視図、（Ｂ）は上台を回動させた状態を示す斜視図である。
【図９】本発明に係る作業用踏み台により第二高さの踏み台を形成した状態を示しており、（Ａ）は全体を示す斜視図、（Ｂ）は下台の係止手段と上台の第２被係止手段の係止状態を示す拡大斜視図である。
【図１０】複数の作業用踏み台を横方向に列設した状態を示す平面図である。
【図１１】複数の作業用踏み台を上下に積層した状態を示しており、（Ａ）は積層状態を示す斜視図、（Ｂ）は積層するときの作業を示す斜視図である。
【図１２】複数の作業用踏み台を組合せた状態を例示する斜視図である。
【図１３】天板部の別の実施形態を示しており、（Ａ）は天板連結部の別の実施形態を示す平面図、（Ｂ）は天板連結部の更に別の実施形態を示す平面図、（Ｃ）は凹陥部の別の実施形態を示す平面図、（Ｃ）は凹陥部の更に別の実施形態を示す平面図である。
【図１４】本発明の高さ変更機構の別の実施形態を示しており、（Ａ）（Ｂ）は第一高さの踏み台を形成した例を示す平面図及び立面図、（Ｂ）（Ｃ）は中間高さの踏み台を形成した例を示す平面図及び立面図、（Ｄ）（Ｅ）は第二高さの踏み台を形成した例を示す平面図及び立面図である。
【発明を実施するための形態】
【００２５】
以下図面に基づいて本発明の好ましい実施形態を詳述する。
【００２６】
図１は、作業用踏み台１を構成する各部材を分解状態にて示しており、天板部２を形成するための天板部材２ａと、上台３と、該上台の下側に配置される下台４と、鉛直方向の軸線Ａの廻りに回動自在かつ該軸線Ａに沿って摺動自在とする連結手段５と、下台４の接地部に取付けられる弾性パッド３５ａを示している。
【００２７】
図示実施形態の場合、前記連結手段５は、上台３に垂設された上筒部５ａと、下台４に立設された下筒部５ｂと、中間筒部５ｃにより構成されている。図１、図５及び図６に示すように、各筒部５ａ、５ｂ、５ｃは、前記軸線Ａを中心とする同心状の円筒に形成されている。中間筒部５ｃは、上筒部５ａに対して、該中間筒部５ｃの上部外周に形成された周突条５ｄを内嵌することにより摺動自在かつ回動自在となるように内挿され、下筒部５ｂに対して、該中間筒部５ｃの下部を摺動自在となるように外挿される。中間筒部５ｃと上筒部５ａの関係と同様に、下筒部５ｂに対して中間筒部５ｃを摺動自在かつ回動自在となるような構成としてもよいが、摺動のみ可能とすることで、上筒部５ａと中間筒部５ｃとをより安定して回動させることができる。
【００２８】
図６に示すように、下筒部５ｂには、周方向に等間隔をあけて上下方向に延びるスリット５ｆが形成されており、中間筒部５ｃの内周部に設けたリブ５ｇが下筒部５ｂのスリット５ｆに沿って摺動自在に嵌合するように構成されている。尚、反対に、下筒部５ｂに設けたリブが中間筒部５ｃのスリット５ｅに嵌合するように構成しても良い。これにより、後述する第一高さの踏み台１ａ及び第二高さの踏み台１ｂを構成したとき、前記リブ５ｇがスリット５ｆに沿って摺動自在に嵌合させられると共に、中間筒部５ｃと下筒部５ｂを周方向に位置決めした状態で自由に回動しないように係止する。また、中間筒部５ｃの下端には、周方向に等間隔をあけて上下方向に延びるスリット５ｅが形成されており、中間筒部５ｃの下端を下筒部５ｂに外挿する際に、中間筒部５ｃの下端を少し外側に広げることができるので、これにより、容易に中間筒部５ｃの下端を下筒部５ｂに外挿させると共に、リブ５ｇをスリット５ｆに嵌合させることができる。
【００２９】
天板部材２ａと、上筒部５ａを備えた上台３と、下筒部５ｂを備えた下台４は、それぞれをポリプロピレンその他の高衝撃性かつ高強靱性を有する合成樹脂により一体成形することができる。しかしながら、上筒部５ａ及び下筒部５ｂは、合成樹脂により別体に成形したものや、金属製としたものを固着しても良い。また、中間筒部５ｃは、合成樹脂により成形しても良いが、金属製としても良い。尚、弾性パッド３５ａは、天然ゴム又は合成ゴムその他のエラストマーにより盤状に形成されている。
【００３０】
（天板部の構成）
図１及び図２に示すように、天板部材２ａは、平面視にて正方形等の矩形に形成され、上面に多数の凹凸による滑り止め面と、上下に貫通する多数の水抜き孔を設けており、上台３の上部に取付けることにより天板部２を構成する。滑り止め面を形成する上面の多数の凸部（凹凸）は、天板部材２ａの外周部に形成された凸部の方が、天板部材２ａの中央部に形成された凸部よりも高く形成されていることが好ましい。これにより、作業者が天板部２に搭乗した際、天板部材２ａのどの辺りに搭乗しているのかが、足元を見なくても靴底（足の裏）を介して伝わる凸部の高さの感覚によって認識できる。すなわち、凸部が高くなったと感じれば、天板部材２ａの外周部に搭乗していることを認識でき、天板部２からの落下や転倒に対して注意を払うことができ、事故を未然に防止できる。図示実施形態の場合、天板部材２ａの四辺に対して平行な複数の凸条が、該凸条の内側に形成された中央の複数の凸部よりもその高さが高く形成されている。天板部材２ａの上面には、図２（Ａ）の矢印で示す方向に向かう水勾配を形成することが好ましいが、天板部２の上面に形成した多数の凹凸の上面は水平にしても良い。この際、天板部材２ａの上面を凹凸のない平滑面に形成し、その上に滑り止め効果のある床用シート材等を後から貼り付けても良い。尚、図示省略しているが、天板部材２ａの下面には、作業者が天板部２に搭乗した際の荷重に耐え得るように、複数のリブが縦横斜め方向等に形成されており、該リブは、要求される耐荷重強度となるように、本数や、太さ及び高さ等の形状寸法を適宜変更できる。
【００３１】
以下、説明の便宜上、図１に示す平面視ほぼ正方形に関して、正面側Ｘ１、背面側Ｘ２、右側面側Ｙ１、左側面側Ｙ２を基準として、天板部材２ａ、上台３、下台４をそれぞれ説明する。しかしながら、正面、背面、右側面、左側面の語は、図１ないし図６に示す各部を説明するための便宜であり、本発明がこのような矩形の形状に限定されるものでないことを諒解されたい。
【００３２】
天板部２は、側面に上下方向に貫通するアリ溝状の凹部６と該凹部に上下方向から嵌合自在な形状とされたアリ状の凸部７を１組として並設した天板連結手段８を設けており、該天板連結手段８は、天板部２の側面に対して前記軸線Ａを中心とする図形回転移動された複数個所（図例の場合、９０度毎に回動移動した位置の合計４個所）に設けられており、図示実施形態の場合、天板部２の正面側Ｘ１と背面側Ｘ２と右側面側Ｙ１と左側面側Ｙ２の４辺に設けられている。従って、後述のように、複数の踏み台１、１を横方向に列設したとき、隣り合う踏み台の対向する天板連結手段８、８の相互において一方の凸部７が他方の凹部６に嵌合させられるように構成している。尚、本発明において、「アリ溝状」及び「アリ状」の語は、図示のような末広がり形状に限定されるものではなく、例えばＴ字形や、Ｌ字形その他の形状であっても良く、要するに上下方向に移動することにより嵌脱自在に嵌合されるが、嵌合状態で横方向に離脱不能に連結結合される形状のものであれば良く、図例以外の形状を含む意味であることを諒解されたい。
【００３３】
尚、天板連結手段８は、図示のような凹凸１組を並設した構成とする他、図１３（Ａ）に示すように、天板部２の隣り合う２辺に凸部７ａと凸部７ａを１組として並設した連結手段８ａを設け、他の隣り合う２辺に凹部６ａと凹部６ａを１組として並設した被連結手段８ｂを設けた構成としても良い。或いは、図１３（Ｂ）に示すように、天板部２の隣り合う２辺に凸部７ａを一つずつ形成した連結手段８ａを設け、他の隣り合う２辺に凹部６ａを一つずつ形成した被連結手段８ｂを設けた構成としても良い。しかしながら、図２（Ａ）に示すような各辺に凹凸１組を並設した連結手段８を設けた実施形態が最も好ましく、これによれば、隣り合う踏み台１の相互間において、どの辺との組合せにおいても連結可能となる。
【００３４】
天板部２の側面は、４辺に設けた天板連結手段８を構成する前記１組の凸部７と凹部６の間に位置して、凹入部を形成している。右側面側Ｙ１と左側面側Ｙ２に形成された凹入部は、天板部材２ａの上下を貫通することにより持ち手用凹部９を形成し、正面側Ｘ１と背面側Ｘ２に形成された凹入部は、該凹入部の底部に臨む第１被係止手段１０を設けている。第１被係止手段１０は、図３（Ａ）に示すように、天板部材２ａの下面から前記凹入部の下側に向けて延設された舌片１１に被係止孔１２を開設すると共に、該舌片１１の先端に起立する操作片１３を設けている。
【００３５】
天板部２の４隅部には、上面を凹入させた凹陥部１４が設けられており、該凹陥部１４の上面を平坦な水平面となるように形成している。
【００３６】
図示実施形態の場合、図１に示すように、天板部材２ａは、右側面側Ｙ１と左側面側Ｙ２の両端近傍に位置して差込み片１５を垂設しており、該差込み片１５により天板部材２ａを上台３に結合することで天板部２を形成するように構成しているが、天板部２を上台３の上面に一体成形しても良い。
【００３７】
（上台の構成）
前記上台３は、前記軸線Ａの周囲に間隔をあけて複数の上脚部１６を設け、隣り合う上脚部１６、１６の間に下側が開口する上側空間１７を形成している。この上側空間１７は、下側を開口させることにより、後述するように、下台４の下脚部３１を下側から挿入可能とする。図示実施形態の場合、右側面側Ｙ１と左側面側Ｙ２に位置して上脚部１６、１６を設け、一対の上脚部１６、１６の上端部を平面視ほぼＨ形の連結フレーム１８により連結し、正面側Ｘ１と背面側Ｘ２に位置して上側空間１７、１７を形成しており、連結フレーム１８の中央に前記上筒部５ａを垂設している。
【００３８】
それぞれの上脚部１６は、右側面側Ｙ１と左側面側Ｙ２の両端近傍に位置する一対の脚要素１６ａ、１６ａを連結板１６ｂで連結した構成とされている。各脚要素１６ａは、天板部２の側面と平行に垂下される外面板部１９と、該外面板部１９の内側縁からほぼ直角に屈折して上台３の内側に延びる側板部２０と、外面板部１９の外側縁から鋭角に屈折して前記側板部２０に向けて延びる傾斜板部２１を備えた断面ほぼ直角三角形とされた中空の角筒体を構成しており、一対の脚要素１６ａ、１６ａの間において、前記連結板１６ｂを上方に向けて上台３の内側に傾斜させることにより、天板部２の側面下方に凹入空間２２を形成している。このように脚要素１６ａ、１６ａを連結する連結板１６ｂを傾斜させて形成することにより、図３（Ｂ）に矢印で示すようなたわみ方向Ｆ１の変形や、ねじれ方向Ｆ２の変形に対する強度が高くなる。
【００３９】
一対の脚要素１６ａ、１６ａは、図３（Ｂ）に示すように、前記側板部２０、２０の下端部を連結する横架部２３を形成し、該横架部２３に上述した天板連結手段８と同じ構成とされた上台連結手段２４を設けている。即ち、上台連結手段２４は、上下方向に貫通するアリ溝状の凹部２５と該凹部に上下方向から嵌合自在な形状とされたアリ状の凸部２６を１組として並設している。従って、後述のように、第一高さの踏み台１ａと第二高さの踏み台１ｂを横方向に列設したとき、隣り合う踏み台の対向する天板連結手段８と上台連結手段２４の相互において一方の凸部７（２６）が他方の凹部６（２５）に嵌合させられるように構成している。
【００４０】
前記横架部２３は、上台連結手段２４を構成する前記１組の凸部２６と凹部２５の間に位置して、凹入部を形成し、該凹入部の底部に臨む第２被係止手段２７を設けている。第２被係止手段２７は、図３（Ｂ）に示すように、横架部２３の下面から前記凹入部の下側に向けて延設された舌片２８に被係止孔２９を開設すると共に、該舌片２８の先端に起立する操作片３０を設けている。
【００４１】
（下台の構成）
前記下台４は、前記軸線Ａの周囲に間隔をあけて複数の下脚部３１を設け、隣り合う下脚部３１、３１の間に上側が開口する下側空間３２を形成している。この下側空間３２は、上側を開口させることにより、上台３の上脚部１６を上側から挿入可能とする。図示実施形態の場合、正面側Ｘ１と背面側Ｘ２に位置して下脚部３１、３１を設け、一対の下脚部３１、３１の下端部を平面視ほぼ工形の連結フレーム３３により連結し、右側面側Ｙ１と左側面側Ｙ２に位置して下側空間３２、３２を形成しており、連結フレーム３３の中央に前記下筒部５ｂを立設している。
【００４２】
それぞれの下脚部３１は、正面側Ｘ１と背面側Ｘ２の両端近傍に位置する一対の脚要素３１ａ、３１ａの上端部を連結桟３１ｂで連結した構成とされている。各脚要素３１ａは、天板部２の側面と平行に垂下される外面板部３４と、該外面板部３４の内側縁からほぼ直角に屈折して下台４の内側に延びる側板部３５と、外面板部３４の外側縁から鋭角に屈折して前記側板部３５に向けて延びる傾斜板部３６を備えた断面ほぼ直角三角形とされた中空の角筒体を構成しており、各脚要素３１ａの底部から下方に突出する脚座部３７の底面に前記弾性パッド３５ａを固着している。
【００４３】
前記連結桟３１ｂは、図３（Ｃ）に示すように、上面に凹入部３８を形成すると共に、該凹入部３８の底部から起立する係止手段３９を設けている。係止手段３９は、起立する舌片４０の先端に下台４の内側に向く爪部４１を形成している。従って、後述するように、第一高さの踏み台１ａが形成されたとき、第１被係止手段１０の舌片１１が連結桟３１ｂの凹入部３８に進入し、係止手段３９を被係止孔１２に挿入すると共に爪部４１を抜止め状に係止する。また、第二高さの踏み台１ｂが形成されたとき、第２被係止手段２７の舌片２８が連結桟３１ｂの凹入部３８に進入し、係止手段３９の舌片４０を被係止孔２９に挿入すると共に爪部４１を抜止め状に係止する。
【００４４】
（天板と上台の結合）
図４に示すように、天板部材２ａは、差込み片１５を上台３のそれぞれの脚要素１６ａに挿入し固着することにより、上台３の上部に一体的に結合され、これにより、上台３の上面に天板部２を形成する。差込み片１５の先端には係止爪１５ａが形成されており、脚要素１６ａの外面板部１９に前記係止爪１５ａを係止する係止孔１５ｂが形成されている。これにより、差込み片１５を上台３のそれぞれの脚要素１６ａに挿入すると、係止爪１５ａが係止孔１５ｂに係止され、天板部材２ａが上台３から脱落することはない。尚、図示のように、上台３の上筒部５ａには中間筒部５ｃが挿入され固着される。
【００４５】
（上台と下台の組付け）図５に示す分離状態から、連結手段５を構成する中間筒部５ｃを下筒部５ｂに外挿することにより、上台３は、下台４の上に設置されると共に、前記軸線Ａに関して、矢印Ｕ及び矢印Ｄで示すように昇降自在、しかも、矢印Ｒ１及び矢印Ｒ２で示すように時計針方向及び反時計針方向に回動自在とされる。
【００４６】
（第一高さの踏み台）
図７は、作業用踏み台１により第一高さの踏み台１ａを形成した状態を示している。下脚部３１、３１を正面側Ｘ１及び背面側Ｘ２に位置させた下台４に対して、上脚部１６、１６を右側面側Ｙ１及び左側面側Ｙ２に位置させた上台３を、上述のようにリブ５ｇをスリット５ｆに嵌合させた位置決め状態として、連結手段５を介して下降させると、上台３の上脚部１６、１６が下台４の下側空間３２、３２に格納されると共に、下台４の下脚部３１、３１が上台３の上側空間１７、１７に格納され、図７（Ａ）に示すような踏み台の下端から天板部２の上面までの高さ位置を高さＨ１とした第一高さの踏み台１ａが形成される。
【００４７】
この状態において、下台４の連結桟３１ｂの上に天板部２の側縁下面が載置され、図７（Ｂ）に示すように、下台４の係止手段３９が天板部２の第１被係止手段１０に係止することにより、上台３と一体化された天板部２の上昇が阻止される。これにより、踏み台を持ち運ぶ際に、上台３と一体化された天板部２のみが持ち上がってしまい、バランスを崩して転倒する等の予期せぬ事故を防止できる。係止手段３９と第１被係止手段１０の係止は、連結手段５を介して上台３と一体化された天板部２を下降したとき、係止手段３９の爪部４１を備えた舌片４０が第１被係止手段１０の被係止孔１２に挿入され、自動的に係止される。尚、図７（Ｂ）の矢印で示すように、第１被係止手段１０の操作片１３を押圧すると、舌片１１が屈撓することにより、被係止孔１２を爪部４１から後退させ、係止を解除する。
【００４８】
また、第一高さの踏み台１ａを形成した状態で、上脚部１６と下脚部３１の脚要素１６ａ、３１ａがそれぞれの隣り合う傾斜板部２１、３６をほぼ重なり合わせ、一体的に見えることで、踏み台の美的外観を保持する。四角柱などの多角柱や円柱等を上記傾斜板部２１、３６に該当するような面で等分して上脚部１６と下脚部３１を構成することで、上脚部１６と下脚部３１の傾斜板部２１、３６が重なり合わさったときに一体的に見えるため美観的外観を保持することができる。特に本実施形態のように天板部２の形状が正方形であると、そのコーナー部に形成されている脚部を、正方形の対角線に沿って等分することで上述した上脚部１６と下脚部３１を形成することができる。このような上脚部１６と下脚部３１であれば、後述する第二高さの踏み台１ｂにおいても、上脚部１６を下脚部３１に搭載した状態で上下の脚部が一体的（一続き）に見えることで美観的外観を保持することができる。尚、図示実施形態の場合、下脚部３１、３１の弾性パッド３５ａを設けた脚座部３７が床面や地面に接地するのに対し、上脚部１６の下端は接地せず浮き上がっているが、下脚部３１の高さの上限を上脚部１６の長さとして任意に形成すれば、上脚部１６の下端を接地させるように構成することが可能であり、これにより下脚部３１と上脚部１６の両方の接地により、踏み台１ａの設置状態をいっそう安定させることができる。
【００４９】
（第二高さの踏み台）
第１被係止手段１０と係止手段３９の係止を解除すると、天板部２と一体化された上台３を上昇させることが可能となる。図８（Ａ）に矢印で示すように、作業者が第１被係止手段１０を解除するために押圧した手指によりそのまま天板部２を把持した状態で、該天板部２と共に上台３を持ち上げ、上台３の上脚部１６、１６を下台４の上方に上昇させた位置から、図８（Ｂ）に矢印で示すように、天板部２と共に上台３を時計針方向又は反時計針方向の何れかの方向に９０度回動させると（図示矢印は時計針方向を示しているが反時計針方向に回動させても良い）、上台３と共に上筒部５ａが中間筒部５ｃ（下台４）に対して回動し、上台３の上脚部１６、１６が下台４の下脚部３１、３１の上に臨むと、天板部２と共に上台３を下降させることで連結手段５のリブ５ｇがスリット５ｆに沿って摺動し、上脚部１６、１６が下脚部３１、３１に搭載される。このようにして、図９（Ａ）に示すような踏み台の下端から天板部２の上面までの高さ位置を高さＨ２とした第二高さの踏み台１ｂが形成される。この際、上脚部１６の下端に突設した嵌合片４２が下脚部３１の内側に嵌入するように構成することが好ましい。これにより、下脚部３１が上脚部１６を確実に支持することができ、安定した第二高さの踏み台（１ｂ）を形成できる。
【００５０】
この状態において、図９（Ｂ）に示すように、下台４の係止手段３９が上台３の第２被係止手段２７に係止することにより、上台３の上昇と回動が阻止される。従って、作業者が天板部２に搭乗した状態で、上台３が下台４から脱落する危険はない。
【００５１】
係止手段３９と第２被係止手段２７の係止は、上台３を下降したとき、係止手段３９の爪部４１を備えた舌片４０が第２被係止手段２７の被係止孔２９に挿入され、自動的に係止される。
【００５２】
図９（Ｂ）の矢印で示すように、第２被係止手段２７の操作片３０を押圧すると、舌片２８が屈撓することにより、被係止孔２９を爪部４１から後退させ、係止を解除する。従って、第二高さの踏み台１ｂを第一高さの踏み台１ａに変更するときは、第２被係止手段２７の係止を解除した後、前記と逆の作業を行い、上台３を上脚部１６の下端に突設した嵌合片４２が下脚部３１の内側から外れる程度に少しだけ持ち上げて回動した後に下降させ、上脚部１６、１６を下側空間３２、３２に格納し、下脚部３１、３１を上側空間１７、１７に格納させれば良い。
【００５３】
（横方向の列設）
複数の作業用踏み台１、１は、図１０に示すように、横方向に列設した状態で、隣り合う踏み台１、１を連結することが可能である。上述のように、天板部２は、４辺に天板連結手段８を設けているので、第一高さの踏み台１ａ、１ａを列設する場合や、第二高さの踏み台１ｂ、１ｂを列設する場合は、隣り合う踏み台１、１の対向する天板連結手段８、８の相互において、一方の踏み台の凸部７を他方の踏み台の凹部６に上下方向から嵌合させると、横方向に離反不能となるように連結される。この際、第一高さの踏み台１ａ、１ａの相互においては、天板連結手段８のみならず、上台連結手段２４も嵌合するので、より安定した列設状態が得られる。
【００５４】
３個以上の踏み台１を列設した状態で、図１０に示すように、中央に位置する踏み台１の持ち手用凹部９が隣接する踏み台１に臨むように配置しておけば、列設を解除する際に、持ち手用凹部９を介して、手指を下方の凹入空間２２に挿入し、天板部２の側縁を把持することにより、中央に位置する踏み台１を持ち上げることができるので、天板連結手段８の連結解除が容易となる。
【００５５】
持ち手用凹部９は、天板部材２ａの上方から手指を挿入可能とするものであれば良く、図例の構成に限られないが、図示実施形態のように、天板連結手段８を構成する前記１組の凸部７と凹部６の間に位置して上下を貫通する凹入部により形成し、天板部材２ａの側縁のほぼ中央付近に設けておけば、踏み台をバランス良く持ち上げることができるため、天板連結手段８の連結解除が容易となる。尚、持ち手としては、図示の持ち手用凹部９に代えて又はこれに加えて、天板部材２ａの上面に手指を挿入可能とする凹部又は貫通孔により構成しても良く、上面に形成した凹部に起倒式の取っ手を別途取付けても良い。
【００５６】
また、上台３の２辺には上台連結手段２４が設けられているので、第一高さの踏み台１ａと第二高さの踏み台１ｂを列設するとき、第一高さの踏み台１ａにおける天板部２の天板連結手段８と、第二高さの踏み台１ｂにおける上台３の上台連結手段２４の相互間において、一方の踏み台の凸部７（２６）を他方の踏み台の凹部６（２５）に上下方向から嵌合させ、横方向に離反不能となるように連結することができる。
【００５７】
（上下方向の積層）
図１１（Ａ）に示すように、複数の踏み台１、１は、上下に積層した状態で使用することが可能であり、これにより上層の踏み台１の天板部２の高さを高さＨ３で示すように高く保持することが可能となる。この際、図１１（Ｂ）に示すように、上層の踏み台１の下脚部３１の脚座部３７に固着された弾性パッド３５ａが下層の踏み台１の天板部２に形成された凹陥部１４に受け入れられた状態で載置されるので、相互に横滑りが好適に防止され、上層の踏み台１の脱落を防止する。尚、図例では、第一高さの踏み台１ａ、１ａの複数を積層した状態を示しているが、第二高さの踏み台１ｂ、１ｂの複数を積層することが可能であり、更に、第一高さの踏み台１ａと第二高さの踏み台１ｂの複数を適宜に組み合わせて積層することも可能である。
【００５８】
尚、この際、図１３（Ｃ）に示すように、凹陥部１４にリブ状の外周枠１４ａを設けておけば、上層の踏み台の脱落を確実に防止することができ、その場合、図１３（Ｄ）に示すように、凹陥部１４に流入した水を排出するために、外周枠１４ａの一部に切欠き１４ｂを形成することが好ましい。
【００５９】
（列設と積層の例示）
図１２は、第一高さの踏み台１ａと第二高さの踏み台１ｂの複数を任意に積層することにより鉛直方向Ｖに異なる高さとされた天板部２の組合せと、緯度方向Ｌ１と経度方向Ｌ２の横方向に天板部２の上面を広げるように列設した使用例を示している。説明の便宜上、隣り合う踏み台を離間させた状態で図示しているが、このような組合せ形態として横方向に列設される踏み台１、１は、相互に天板連結手段８及び／又は上台連結手段２４を介して離反不能に連結されるので、図例のような階段形態を構成した複数の踏み台に対して作業者が乱暴に走ったり飛び跳ねたりするときでも、それぞれの踏み台１が離間したり位置ずれしたりすることはなく、安全に作業を行うことができる。
【００６０】
（高さ変更機構の別の実施形態）
上述した実施形態は、第一高さの踏み台１ａと第二高さの踏み台１ｂの２態様を選択的に変更可能とした機構を示したが、本発明は、踏み台の下端から天板部２の上面までの高さを多段階に変更可能とするように構成することが可能である。例えば、図１４に示す別の実施形態は、下台４に設けた下脚部３１を背丈の低い第一下脚部３１Ｌと背丈の高い第二下脚部３１Ｈにより構成し、第一下脚部３１Ｌと第二下脚部３１Ｈを交互に配置し、上台３の上脚部１６を格納自在とする下側空間３２を設けている。
【００６１】
従って、図１４（Ａ）（Ｂ）に示すように、上台３の上脚部１６を下側空間３２に格納することにより、上記実施形態と同様に、踏み台の下端から天板部２の上面までの高さを高さＨ１とした第一高さの踏み台１ｂが構成される。
【００６２】
この状態から、図１４（Ｃ）（Ｄ）に示すように、上台３を持ち上げて回動し、上脚部１６を第一下脚部３１Ｌの上に支持させると、踏み台の下端から天板部２の上面までの高さを高さＨｘとした中間高さの踏み台１ｃが構成される。
【００６３】
また、図１４（Ｅ）（Ｆ）に示すように、上台３を持ち上げて回動し、上脚部１６を第二下脚部３１Ｈの上に支持させると、上記実施形態と同様に、踏み台の下端から天板部２の上面までの高さを高さＨ２とした第二高さの踏み台１ｂが構成される。
【００６４】
このように図例の場合、背丈が異なる第一下脚部３１Ｌと第二下脚部３１Ｈにより下脚部３１を構成しているので、上台３を所望の位置に回動させることにより、第一高さの踏み台１ａと第二高さの踏み台１ｂの他に、中間高さの踏み台１ｃを含む３態様の高さを選択的に変更可能とする。従って、同様の技術的思想に基づいて、下脚部３１を背丈の異なる３段階以上のものにより構成すれば、天板部２の高さを４段階以上に選択可能とした踏み台を提供することも可能になる。
【００６５】
尚、図例の場合、下脚部３１を背丈が異なる複数段階に構成したが、反対に、上脚部１６を背丈が異なる複数段階に構成しても良い。
【符号の説明】
【００６６】
１  作業用踏み台
１ａ  第一高さの踏み台
１ｂ  第二高さの踏み台
２  天板部
２ａ  天板
３  上台
４  下台
５  連結手段
５ａ  上筒部
５ｂ  下筒部
５ｃ  中間筒部
６  凹部
７  凸部
８  天板連結手段
９  手持ち用凹部
１０  第１被係止手段
１１  舌片
１２  被係止孔
１３  操作片
１４  凹陥部
１５  差込み片
１６  上脚部
１６ａ  脚要素
１６ｂ  連結板
１７  上側空間
１８  連結フレーム
１９  外面板部
２０  側板部
２１  傾斜板部
２２  凹入空間
２３  横架部
２４  上台連結手段
２５  凹部
２６  凸部
２７  第２被係止手段
２８  舌片
２９  被係止孔
３０  操作片
３１  下脚部
３１ａ  脚要素
３１ｂ  連結桟
３２  下側空間
３３  連結フレーム
３４  外面板部
３５  側板部
３６  傾斜板部
３７  脚座部
３８  凹入部
３９  係止手段
４０  舌片
４１  爪部
４２  嵌合片
【図１】
0005400752.tif 000002
【図２】
0005400752.tif 000003
【図３】
0005400752.tif 000004
【図４】
0005400752.tif 000005
【図５】
0005400752.tif 000006
【図６】
0005400752.tif 000007
【図７】
0005400752.tif 000008
【図８】
0005400752.tif 000009
【図９】
0005400752.tif 000010
【図１０】
0005400752.tif 000011
【図１１】
0005400752.tif 000012
【図１２】
0005400752.tif 000013
【図１３】
0005400752.tif 000014
【図１４】
0005400752.tif 000015